(57)【要約】【課題】本発明のティシューケース、ティシューペーパーの束の底部の支持高さを変更するための機構によってティシューケースの上下方向の寸法の増加を最小限に留めると共に、部品点数の増加によるコストの上昇を抑え、更にティシューペーパーの束の底部の支持高さを変更の作業性が良いティシューケースを得ることを課題とする。【構成】本発明のティシューケースの底部には、当接位置切り替え機構からなる支持部材が形成され、上記支持部材は、上記ティシューペーパーの束の底面との当接位置を、上記底部の位置に対して離間する位置に切り替えた状態で略アーチ状に配置され、上記ティシューペーパーの束の底面との当接位置を、上記底部の位置に対して近接する位置に切り替えた状態で、上記可動部の中央部が上記底部の位置に近接するように配置されるように構成される。【選択図】図１
2015231863.tif 000002
【特許請求の範囲】
【請求項１】
積層された順次繰り出し式のティシューペーパーの束を内部の空間部に収納するティシューケースであって、
上記ティシューケース は、上記ティシューペーパーの取出し孔が形成された天部と、
上記天部と対向して配置された底部と、
上記天部と、底部間の周囲に配置された側部とを有し、
上記底部には、上記ティシューペーパーの束の底面と当接する支持部材を有し、
上記支持部材は、上記ティシューペーパーの束の底面との当接位置が、上記底部位置に対して近接する位置と離間する位置の、少なくとも２つの位置に切り替え可能な、当接位置切り替え機構を有し、
上記支持部材は、少なくとも２つの端部が夫々上記底部と一体に形成もしくは結合され、上記端部の位置から上記底部と離間する方向に向かって延びる少なくとも２つの起立腕部と、
上記夫々の起立腕部間に配置される可動部と、よりなり、
上記支持部材は、上記ティシューペーパーの束の底面との当接位置を、上記底部の位置に対して離間する位置に切り替えた状態で略アーチ状に配置され、
上記ティシューペーパーの束の底面との当接位置を、上記底部の位置に対して近接する位置に切り替えた状態で、上記起立腕部と可動部の境界位置よりも、上記可動部の中央部が上記底部の位置に近接するように配置されることを特徴とするティシューケース。
【請求項２】
上記支持部材の上記ティシューペーパーの束の底面との当接位置を、上記底部の位置に対して離間する位置に切り替えた状態で、上記可動部の略中央部が上記ティシューペーパーの束の底面と当接するように構成されることを特徴とする請求項１記載のティシューケース。
【請求項３】
上記支持部材の上記ティシューペーパーの束の底面との当接位置を、上記底部の位置に対して近接する位置に切り替えた状態で、上記起立腕部と可動部の略境界位置が、上記ティシューペーパーの束の底面と当接するように構成されることを特徴とする請求項１または２記載のティシューケース。
【請求項４】
上記支持部材の上記起立腕部と可動部の境界位置には肉厚減少部よりなるヒンジ部が形成されることを特徴とすることを特徴とする請求項1〜３の何れか１項記載のティシューケース。
【請求項５】
上記支持部材の可動部の略中央位置には肉厚減少部よりなるヒンジ部が形成されることを特徴とする請求項1〜４の何れか１項記載のティシューケース。
【請求項６】
上記支持部材の可動部の略中央位置には、指掛けが可能な操作孔が形成されることを特徴とする請求項1〜５の何れか１項記載のティシューケース。
【発明の詳細な説明】
【技術分野】
【０００１】
本発明は、積層された順次繰り出し式のティシューペーパーの束を収納するティシューペーパー詰め替え用のティシューケースに関する。より詳細には、多量のティシューペーパーを収納できるようにしつつ、収納されたティシューペーパーを使い切るまで途切れず連続して取り出すことができるように、ティシューペーパーの束の底部の支持高さを変更できるように構成したるようにした、ティシューペーパー詰め替え用のティシューケースに関する。
に関するものである。
【背景技術】
【０００２】
実開平５−２６８８０号公報には、図１６に示すように、積層された順次繰り出し式の薄紙（ティシューペーパーの束１００）を収納する薄紙用収納箱（ティシューケース）において、薄紙用収納箱に収納された薄紙を、上面のスリット７０より順次繰り出して使用すれば、折たたみ状に収納された薄紙（ティシューペーパーの束１００）の最下部 に厚紙７１を設けると共に、同厚紙７１と収納箱の底面７２との間に、薄紙（ティシューペーパーの束１００）を上向きに付勢するバネ体７３を介装することにより、薄紙（ティシューペーパーの束１００）を上方へ向けて押圧付勢するように構成した薄紙用収納箱（ティシューケース）が開示されている。
【０００３】
しかしながら、この従来技術では、上記薄紙（ティシューペーパーの束１００）を上方へ向けて押圧付勢する構造が予め薄紙用収納箱（ティシューケース）に配置されるため、容器内に薄紙（ティシューペーパーの束１００）が多い初期段階から薄紙（ティシューペーパーの束１００）に押し上げ力が作用するため、初期段階において薄紙（ティシューペーパーの束１００）の取り出し作業性が悪化すると共に、部品点数多いため、製造コストが高くなるとともに、薄紙用収納箱（ティシューケース１００）が上下方向に大きくなる欠点があった。
【０００４】
また、実用新案登録第３０１１２２８号公報では、図１７、図１８に示すように、積層された順次繰り出し式のティシューペーパー（ティシューペーパーの束１００）を収納するティシューペーパー容器の底部８０の内法寸法より縦横とも若干小さめの、長方形の薄手のボール紙で出来たばね板８１の両端中央部に切欠８２をそれぞれ設け、其処に輪ゴム８３を取り付けたものを、ティシューペーパー（ティシューペーパーの束１００）の最下部とティシューペーパー容器の底部８０との間に収めた押し上げ構造を配置したティシューケースが開示されている。
【０００５】
しかしながら、この従来技術では、上記押し上げ構造が予めティシューペーパー容器に配置される構造であるため、容器内にティシューペーパー（ティシューペーパーの束１００）が多い初期段階からティシューペーパー（ティシューペーパーの束１００）に押し上げ力が作用するため、初期段階においてティシューペーパーの取り出し作業性が悪化すると共に、部品点数が多く、量産作業性が悪いため、製造コストが高くなる欠点があった。
【０００６】
また、実開平６−１２８０号公報には、図１９、図２０に示すように、積層された順次繰り出し式のティシューペーパーを収納する箱体の上面板へ取出孔９２を形成するとともに、箱体の側板内壁へ複数段の係止部９１を設ける、上記係止部９１のいずれかへ底板９０を係脱自在に設けた、ティシューペーパーの詰め替え用ティシューケースの構成が開示されている。
【０００７】
しかしながら、この従来技術では、底板９０の係止位置を上段に変更する作業の際に、一度、上記底板９０の一部を係止位置よりも上方に配置する必要があるため、底板９０の係止位置を上段に変更する作業の際に箱体内に残っているティシューペーパーと底板９０が干渉して作業性が悪化する不具合があり、また、部品点数多いため、製造コストが高くなる欠点があった。
【先行技術文献】
【特許文献】
【０００８】
【特許文献１】実開平５−２６８８０号公報
【特許文献２】実用新案登録第３０１１２２８号公報
【特許文献３】実開平６−１２８０号公報
【発明の概要】
【発明が解決しようとする課題】
【０００９】
本発明は、積層された順次繰り出し式のティシューペーパーの束を収納できるようにしつつ、収納されたティシューペーパーを使い切るまで途切れず連続して取り出すことができるように、ティシューペーパーの束の底部の支持高さを変更するための機構を有するティシューペーパー詰め替え用のティシューケースにおいて、ティシューペーパーの束の底部の支持高さを変更するための機構によってティシューケースの上下方向の寸法が大幅に大きくなること避けると共にコストの上昇を抑え、更にティシューペーパーの束の底部の支持高さを変更の作業性が良いティシューケースを得ることを課題とする。
【課題を解決するための手段】
【００１０】
本発明のティシューケースは、積層された順次繰り出し式のティシューペーパーの束を内部の空間部に収納するティシューケースであって、上記ティシューケース は、上記ティシューペーパーの取出し孔が形成された天部と、上記天部と対向して配置された底部と、上記天部と、底部間の周囲に配置された側部とを有し、上記底部には、上記ティシューペーパーの束の底面と当接する支持部材を有し、上記支持部材は、上記ティシューペーパーの束の底面との当接位置が、上記底部位置に対して近接する位置と離間する位置の、少なくとも２つの位置に切り替え可能な、当接位置切り替え機構を有し、上記支持部材は、少なくとも２つの端部が夫々上記底部と一体に形成もしくは結合され、上記端部の位置から上記底部と離間する方向に向かって延びる少なくとも２つの起立腕部と、上記夫々の起立腕部間に配置される可動部と、よりなり、上記支持部材は、上記ティシューペーパーの束の底面との当接位置を、上記底部の位置に対して離間する位置に切り替えた状態で略アーチ状に配置され、上記ティシューペーパーの束の底面との当接位置を、上記底部の位置に対して近接する位置に切り替えた状態で、上記起立腕部と可動部の境界位置よりも、上記可動部の中央部が上記底部の位置に近接するように配置されることを特徴とする。
【００１１】
更に、上記支持部材の上記ティシューペーパーの束の底面との当接位置を、上記底部の位置に対して離間する位置に切り替えた状態で、上記可動部の略中央部が上記ティシューペーパーの束の底面と当接するように構成するとよい。
【００１２】
更に、上記支持部材の上記ティシューペーパーの束の底面との当接位置を、上記底部の位置に対して近接する位置に切り替えた状態で、上記起立腕部と可動部の略境界位置が、上記ティシューペーパーの束の底面と当接するように構成するとよい。
【００１３】
更に、上記支持部材の上記起立腕部と可動部の境界位置には肉厚減少部よりなるヒンジ部が形成するとよい。
【００１４】
更に、上記支持部材の可動部の略中央位置には肉厚減少部よりなるヒンジ部が形成するとよい。
【００１５】
更に、上記支持部材の可動部の略中央位置には、指掛けが可能な操作孔が形成するとよい。
【発明の効果】
【００１６】
本発明のティシューケースは、ティシューペーパーの束の底部の支持高さを変更するための機構によってティシューケースの上下方向の寸法の増加を最小限に留める構造を有することによって、支持部材によって増加する上下方向の寸法は、支持高さの切り替えが低い位置の状態では、起立腕部の高さと同等の寸法に抑えることができ、更に、ティシューペーパーの束の底部の支持高さを変更するための機構である裏カバーと前記支持部材を一体成型によって形成することができるため製造コストの上昇も殆ど無く、更に、ティシューペーパーの束の底部の支持高さを変更は、ティシューケースの外面から操作することができ、裏カバーに形成された上記支持部材の略中心位置を押すことによってティシューペーパーの束の底部の支持高さを高い位置にでき、上記支持部材の略中心位置を引くことによって、ティシューペーパーの束の底部の支持高さを低い位置に変更することができ、尚、ティシューペーパーの束の詰め替え時に、ティシューペーパーの束底部の支持高さを低い位置に変更する場合は、裏カバーの内側から上記支持部材の略中心位置を押す操作によってティシューペーパーの束の底部の支持高さを低い位置に変更しても良い。
【図面の簡単な説明】
【００１７】
【図１】本発明の第１実施例に係る分解図である。
【図２】本発明の第１実施例に係るティシューペーパーの束の底部の支持高さが低い位置の状態を示す断面図である。
【図３】本発明の第１実施例に係るティシューペーパーの束の底部の支持高さが低い位置の状態を示す裏カバーの外側方向から斜視図である。
【図４】本発明の第１実施例に係るティシューペーパーの束の底部の支持高さが低い位置の状態を示す裏カバーの内側方向から見た要部参考図である。
【図５】本発明の第１実施例に係るティシューペーパーの束の底部の支持高さが高い位置の状態を示す断面図である。
【図６】本発明の第１実施例に係るティシューペーパーの束の底部の支持高さが高い位置の状態を示す裏カバーの外側方向から斜視図である。。
【図７】本発明の第１実施例に係るティシューペーパーの束の底部の支持高さが高い位置の状態を示す裏カバーの内側方向から見た要部参考図である。
【図８】本発明の第１実施例に係る表カバーにフックを装着した状態の平面図である。
【図９】本発明の第１実施例に係る表カバーにフックを装着した状態のＡＡ線断面図である。
【図１０】本発明の第２実施例に係るティシューペーパーの束の底部の支持高さが低い位置の状態を示す断面図である。
【図１１】本発明の第２実施例に係るティシューペーパーの束の底部の支持高さが低い位置の状態を示す裏カバーの内側方向から見た要部参考図である。
【図１２】本発明の第２実施例に係るティシューペーパーの束の底部の支持高さが高い位置の状態を示す断面図である。
【図１３】本発明の第２実施例に係るティシューペーパーの束の底部の支持高さが高い位置の状態を示す裏カバーの内側方向から見た要部参考図である。
【図１４】本発明の第３実施例に係るティシューペーパーの束の底部の支持高さが低い位置の状態を示す裏カバーの内側方向から見た要部参考図である。
【図１５】本発明の第３実施例に係るティシューペーパーの束の底部の支持高さが高い位置の状態を示す裏カバーの内側方向から見た要部参考図である。
【図１６】従来技術を示す断面図である。
【図１７】従来技術の内部構造を示す参考斜視図である。
【図１８】従来技術を示す断面図である。
【図１９】従来技術の内部構造を示す参考斜視図である。
【図２０】従来技術を示す断面図である。
【発明を実施するための形態】
【実施例１】
【００１８】
本発明の第１実施例におけるティシューケースは、図１〜図９に示すように、積層された順次繰り出し式のティシューペーパーの束１００を内部の空間部に収納するティシューケースであって、上記ティシューケース は、上記ティシューペーパーの取出し孔１１が形成された天部１０を有する表カバー１と、上記天部１０と対向して配置される底部２０を有する裏カバー２と、上記ティシューケースの長手方向の両側部に夫々配置される一対の側面カバー３と、を有し、上記表カバー１の天部１０の短方向の両端部には、夫々上記裏カバー２の底部２０に向かって伸びる側部１２が形成され、上記裏カバー２の底部２０の短方向の両端部には、夫々上記表カバー１の天部１０に向かって伸びる側部２２が形成され、上記表カバー１と上記裏カバー２を対向して配置した状態で、上記表カバー１の側部１２の端部と上記裏カバー２の側部の端部２２には夫々、互いに係合可能な係止部１３、２３が形成され、上記表カバー１と上記裏カバー２が互いに係合した状態で、上記表カバー１と上記裏カバー２の長手方向の端部と上記側面カバー３の周囲部には夫々、互いに係合可能な係止部１４、２４、３０が形成される。
【００１９】
上記裏カバー２の底部２０には、上記ティシューペーパーの束１００の底面と当接する支持部材４を有し、上記支持部材４は、上記ティシューペーパーの束１００の底面との当接位置が、上記裏カバー２の底部２０の位置に対して近接する位置と離間する位置の、少なくとも２つの位置に切り替え可能な、当接位置切り替え機構を有し、上記支持部材４は、夫々の端部４１が夫々上記底部２０と一体に形成され（複数の部品を互いに結合した構成でも良い）、夫々の端部４１の位置から上記底部２０と離間する方向に向かって延びる起立腕部４２と、上記夫々の起立腕部４２の間に一体に形成された状態で配置される可動部４３と、よりなる。
【００２０】
図５〜図７に示すように、上記支持部材４の上記ティシューペーパーの束１００の底面との当接位置を、上記底部２０の位置に対して離間する位置に切り替えた状態で略アーチ状に配置され、また、図２〜図４に示すように、上記支持部材４の上記ティシューペーパーの束１００の底面との当接位置を、上記底部２０位置に対して近接する位置に切り替えた状態で、上記起立腕部４２と可動部４３の境界位置よりも、上記可動部４３の略中央部４４が上記底部２０の位置に近接するように構成される。
【００２１】
上記支持部材４の上記ティシューペーパーの束１００の底面との当接位置を、上記底部２０の位置に対して離間する位置に切り替えた状態で、上記可動部４３の略中央部４４が上記ティシューペーパーの束１００の底面と当接するように構成され、上記支持部材４の上記ティシューペーパーの束１００の底面との当接位置を、上記底部２０の位置に対して近接する位置に切り替えた状態で、上記起立腕部４２と可動部４３の略境界位置が、上記ティシューペーパーの束１００の底面と当接するように構成される。
【００２２】
更に、上記支持部材４の上記起立腕部４２と可動部４３の境界位置には夫々、肉厚減少部よりなる第一ヒンジ部４５が形成されることによって、上記支持部材４の、上記ティシューペーパーの束１００の底面との当接位置の切り替え作業性を向上させることができ、更に、上記支持部材４の可動部４３の略中央位置には肉厚減少部よりなる第二ヒンジ部４６が形成されることによって更に切り替え作業性を向上させることができる。
【００２３】
更に、上記支持部材４の可動部の略中央位置には、指掛けが可能な操作孔４７が形成されることによって、上記支持部材４の上記ティシューペーパーの束１００の底面との当接位置を、上記底部２０の位置に対して離間する位置から近接する位置に切り替える際の、上記可動部の引き戻し操作を容易に行うことができる。
【００２４】
本実施例では、上記裏カバー２の底面２０の外側面の長手方向の左右の位置には、サンバイザー等に本発明のティシューケースを装着するためのフック３５が装着するための溝部２５が形成され、上記フック３５は一端に形成された上記溝部２５との係合部３６によって上記裏カバー２に固定可能に構成される。また、図８、図９に示すように、上記表カバー１の天面１０の外側面の長手方向の左右の位置にも、サンバイザー等に本発明のティシューケースを装着するためのフック３５が装着するための溝部１５が形成され、上記フック３５は一端に形成された上記溝部１５との係合部３６によって上記表カバー１に固定可能に構成され、上記表カバー１にフック３５を装着した際に、サンバイザー等の被装着物とティシューペーパーの取出し孔１１が干渉しないように、フック３５を固定する、左右の上記溝部１５の形成位置と、ティシューペーパーの取出し孔１１の位置は離間して形成される。尚、上記側面カバー３は、上記表カバー１および裏カバー２と係合した際に、上記溝部１５もしくは溝部２５の何れかフックを装着していない溝部を覆うためのリブ３１が形成される。尚、本発明のティシューケースは、必ずしも上記フック３５を装着できるように構成する必要はなく、ティシューケースを自動車のダッシュボード上や、家庭内などの適切な場所に置いて使用しても良い。
【００２５】
尚、本発明のティシューケースにおいて、表カバー１、裏カバー２、側部１２、２２（側面カバー３を含む）の構成は本実施例に限定されず、既存のティシューケース（ティッシュケース）の構成の底部位置に本発明の支持部材４を形成しても良い。また、上記支持部材４は上記底部２０に対し、上記底部２０の位置に対する離間可能な距離の異なる複数種類の支持部材４を形成しても良く、その場合は、より細かく上記ティシューペーパーの束１００の底面と当接する支持部材４の位置を調節することが可能になる。（図示せず）
【実施例２】
【００２６】
本発明の第２実施例におけるティシューケースは、上記実施例１で説明したティシューケースの変形例であり、表カバー１、裏カバー２、側面カバー３の構成は実施例１と同一の構成からなるため、その説明を省略する。
【００２７】
第２実施例においては、図１０〜図１３に示すように、上記裏カバー２の底部２０には、上記ティシューペーパーの束１００の底面と当接する支持部材５の構成は、上記ティシューペーパーの束１００の底面との当接位置が、上記裏カバー２の底部２０の位置に対して近接する位置と離間する位置の、少なくとも２つの位置に切り替え可能な、当接位置切り替え機構を有し、上記支持部材５は、夫々の端部５１が夫々上記底部２０と一体に形成され（複数の部品を互いに結合した構成でも良い）、夫々の端部５１の位置から上記底部２０と離間する方向に向かって延びる起立腕部５２と、上記夫々の起立腕部５２の間に一体に形成された状態で配置される可動部５３と、よりなる。
【００２８】
図１２、図１３に示すように、上記支持部材５の上記ティシューペーパーの束１００の底面との当接位置を、上記底部２０の位置に対して離間する位置に切り替えた状態で略アーチ状に配置され、図１０、図１１に示すように、上記支持部材５の上記ティシューペーパーの束１００の底面との当接位置を、上記底部２０位置に対して近接する位置に切り替えた状態で、上記起立腕部５２と可動部５３の境界位置よりも、上記可動部５３の中間部５４が上記底部２０の位置に近接するように構成される。
【００２９】
更に、上記支持部材５の上記ティシューペーパーの束１００の底面との当接位置を、上記底部２０の位置に対して離間する位置に切り替えた状態で、上記可動部５３の中間部５４の面が上記ティシューペーパーの束１００の底面と当接するように構成され、上記支持部材５の上記ティシューペーパーの束１００の底面との当接位置を、上記底部２０の位置に対して近接する位置に切り替えた状態で、上記起立腕部５２と可動部５３の略境界位置が、上記ティシューペーパーの束１００の底面と当接するように構成される。
【００３０】
上記支持部材５の上記起立腕部５２と可動部５３の境界位置には、夫々肉厚減少部よりなる第一ヒンジ部５５が形成されることによって、上記支持部材５の、上記ティシューペーパーの束１００の底面との当接位置の切り替え作業性を向上させることができ、更に、上記支持部材５の可動部５３は、前記第一ヒンジ部５５から中間部５４まで平行に離間した左右の位置に、肉厚減少部よりなる第二ヒンジ部５６が形成され、上記支持部材５の上記ティシューペーパーの束１００の底面との当接位置を、上記底部２０の位置に対して離間する位置に切り替えた状態で、上記可動部５３の略中央部に形成される上記ティシューペーパーの束１００の底面と当接する部分が面で構成されるため、上記ティシューペーパー１００の束の支持状態の安定性を向上させることができる。
【００３１】
更に、上記支持部材５の可動部の略中央位置には、指掛けが可能な操作孔５７が形成されることによって、上記支持部材５の上記ティシューペーパーの束１００の底面との当接位置を、上記底部２０の位置に対して離間する位置から近接する位置に切り替える際の、上記可動部の引き戻し操作を容易に行うことができる。
【００３２】
尚、本発明のティシューケースにおいて、表カバー１、裏カバー２、側部１２、２２（側面カバー３を含む）の構成は本実施例に限定されず、既存のティシューケース（ティッシュケース）の構成の底部位置に本発明の支持部材５を形成しても良い。また、上記支持部材５は上記底部２０に対し、上記底部２０の位置に対する離間可能な距離の異なる複数種類の支持部材５を形成しても良く、その場合は、より細かく上記ティシューペーパーの束１００の底面と当接する支持部材５の位置を調節することが可能になる。（図示せず）
【実施例３】
【００３３】
本発明の第３実施例におけるティシューケースは、上記実施例１で説明したティシューケースの変形例であり、表カバー１、裏カバー２、側面カバー３の構成は実施例１と同一の構成からなるため、その説明を省略する。
【００３４】
第３実施例においては、図１４、図１５に示すように、上記裏カバー２の底部２０には、上記ティシューペーパーの束１００の底面と当接する支持部材６の構成は、上記ティシューペーパーの束１００の底面との当接位置が、上記裏カバー２の底部２０の位置に対して近接する位置と離間する位置の、少なくとも２つの位置に切り替え可能な、当接位置切り替え機構を有し、上記支持部材６は、上下の端部６１と左右の端部６１の合計４個の端部６１が夫々上記底部２０と一体に形成され（複数の部品を互いに結合した構成でも良い）、夫々の端部６１の位置から上記底部２０と離間する方向に向かって延びる４個の起立腕部６２と、上記夫々の起立腕部間６２に一体に形成されて配置される可動部６３と、よりなる。
【００３５】
図１５に示すように、上記支持部材６の上記ティシューペーパーの束１００の底面との当接位置を、上記底部２０の位置に対して離間する位置に切り替えた状態で略アーチ状に配置され、図１４に示すように、上記支持部材６の上記ティシューペーパーの束１００の底面との当接位置を、上記底部２０位置に対して近接する位置に切り替えた状態で、上記起立腕部６２と可動部６３の境界位置よりも、上記可動部６３の中間部６４が上記底部２０の位置に近接するように構成される。
【００３６】
更に、上記支持部材６の上記ティシューペーパーの束１００の底面との当接位置を、上記底部２０の位置に対して離間する位置に切り替えた状態で、上記可動部６３の中間部６４の面が上記ティシューペーパーの束１００の底面と当接するように構成され、上記支持部材６の上記ティシューペーパーの束１００の底面との当接位置を、上記底部２０の位置に対して近接する位置に切り替えた状態で、４箇所の上記起立腕部６２と可動部６３の略境界位置が夫々、上記ティシューペーパーの束１００の底面と当接するように構成される。
【００３７】
上記支持部材６の上記起立腕部６２と可動部６３の境界位置には肉厚減少部よりなる第一ヒンジ部６５が形成されることによって、上記支持部材６の、上記ティシューペーパーの束１００の底面との当接位置の切り替え作業性を向上させることができ、上記支持部材６の可動部６３は、前記第一ヒンジ部６５から中間部６４まで平行に離間した上下および左右の計４箇所の位置に夫々肉厚減少部よりなる第二ヒンジ部６６が形成されることによって更に切り替え作業性を向上させることができる。
【００３８】
更に、上記支持部材６の可動部の略中央位置には、指掛けが可能な操作孔６７が形成されることによって、上記支持部材６の上記ティシューペーパーの束１００の底面との当接位置を、上記底部２０の位置に対して離間する位置から近接する位置に切り替える際の、上記可動部の引き戻し操作を容易に行うことができる。
【００３９】
尚、本実施例においては、上述のとおり、上記支持部材６は上下左右の計４個の起立腕部６２と、上記夫々の起立腕部間６２に一体に形成されて配置される可動部６３と、より構成されるが、上記起立腕部６２の数は、３個形成してもよく、また、５個以上形成しても良い。
【００４０】
尚、本発明のティシューケースにおいて、表カバー１、裏カバー２、側部１２、２２（側面カバー３を含む）の構成は本実施例に限定されず、既存のティシューケース（ティッシュケース）の構成の底部位置に本発明の支持部材５を形成しても良い。また、上記支持部材５は上記底部２０に対し、上記底部２０の位置に対する離間可能な距離の異なる複数種類の支持部材６を形成しても良く、その場合は、より細かく上記ティシューペーパーの束１００の底面と当接する支持部材６の位置を調節することが可能になる。（図示せず）
【産業上の利用可能性】
【００４１】
本発明のティシューケースは、多量のティシューペーパーを収納できるようにしつつ、収納されたティシューペーパーを使い切るまで途切れず連続して取り出すことができるように、ティシューペーパーの束の底部の支持高さを変更できるように構成したティシューペーパー詰め替え用ティシューケースとして、産業上有効に利用することができる。
【符号の説明】
【００４２】
１：表カバー、２：裏カバー、３：側面カバー、４：支持部材、５：支持部材、６：支持部材、１０：天部、１１：ティシューペーパーの取出し孔、１２：側部、１３：係止部、１４：係止部、１５：溝部、２０：底部、２２：側部、２３：係止部、２４：係止部、２５：溝部、３０：係止部、３１：リブ、３５：フック、３６：係合部、４１：端部、４２：起立腕部、４３：可動部、４４：中央部、４５：第一ヒンジ部，４６：第二ヒンジ部、４７：操作孔、５１：端部、５２：起立腕部、５３：可動部、５４：中間部、５５：第一ヒンジ部，５６：第二ヒンジ部、５７：操作孔、６１：端部、６２：起立腕部、６３：可動部、６４：中間部、６５：第一ヒンジ部，６６：第二ヒンジ部、６７：操作孔、７０：スリット、７１：厚紙、７２：底面、７３：バネ体、８０：底部、８１：ばね板、８２：切欠、８３：輪ゴム、９０：底板、９１：係止部、９２：取出孔、１００：ティシューペーパーの束
【図１】
2015231863.tif 000003
【図２】
2015231863.tif 000004
【図３】
2015231863.tif 000005
【図４】
2015231863.tif 000006
【図５】
2015231863.tif 000007
【図６】
2015231863.tif 000008
【図７】
2015231863.tif 000009
【図８】
2015231863.tif 000010
【図９】
2015231863.tif 000011
【図１０】
2015231863.tif 000012
【図１１】
2015231863.tif 000013
【図１２】
2015231863.tif 000014
【図１３】
2015231863.tif 000015
【図１４】
2015231863.tif 000016
【図１５】
2015231863.tif 000017
【図１６】
2015231863.tif 000018
【図１７】
2015231863.tif 000019
【図１８】
2015231863.tif 000020
【図１９】
2015231863.tif 000021
【図２０】
2015231863.tif 000022